(57)【要約】【課題】より効率的且つ合理的に開口部の補強を行うことを可能にする筒型地中連続壁の開口部補強構造及びその施工方法を提供する。【解決手段】筒型の地中連続壁２の外面から内面に貫通する開口部１を外部と連通させる孔部を備え、地中連続壁２の外面から外側に地中連続壁２を増厚するように一体に突出する補強部Ａ１を備える。【選択図】図１
2019065470.tif 000002
【特許請求の範囲】
【請求項１】
筒型の地中連続壁の外面から内面に貫通する開口部を外部と連通させる孔部を備え、地中連続壁の外面から外側に地中連続壁を増厚するように一体に突出する補強部を備えて構成されていることを特徴とする筒型地中連続壁の開口部補強構造。
【請求項２】
請求項１記載の筒型地中連続壁の開口部補強構造において、
前記補強部が、前記孔部を備えるように鉄骨を組み付けてなる補強ユニットと、前記孔部を前記開口部に連通させるように配設した状態で前記補強ユニットを埋設しつつ地中連続壁と一体に結合するためのコンクリートとを備えていることを特徴とする筒型地中連続壁の開口部補強構造。
【請求項３】
筒型に形成されるとともに外面から内面に貫通する開口部が設けられる筒型地中連続壁の前記開口部の周囲を補強する開口部補強構造の施工方法であって、
地中連続壁の構築後あるいは地中連続壁の構築中に、前記開口部を設ける部分の地中連続壁の外面側の地盤を開削し、
孔部を備えるように鉄骨を組み付けてなる補強ユニットを、前記開口部を設ける部分と前記孔部が重なるように、地盤の開削によって形成された開削孔に挿入し、
前記補強ユニットを埋設し地中連続壁と一体に結合するように前記開削孔にコンクリートを打設することを特徴とする筒型地中連続壁の開口部補強構造の施工方法。
【発明の詳細な説明】
【技術分野】
【０００１】
本発明は、筒型地中連続壁の開口部を補強するための構造及びその施工方法に関する。
【背景技術】
【０００２】
鉄筋コンクリート製の円筒型の地中連続壁には土水圧による外圧によって円周方向に軸圧縮力が、鉛直方向に曲げモーメントが主に発生する。洞道接続等により地中連続壁に開口部を設ける場合、開口部の円周方向軸圧縮力を開口部の上下部分で負担し、開口部の鉛直方向曲げモーメントを開口部の左右部分で負担することになる。
【０００３】
そして、従来、このような断面力の増加に抵抗するため、例えば、図４に示すように、開口部１をあける前に開口部１の上下左右部分の連続壁２の内側に梁を構築し、連続壁２を増厚３するなどして補強を施すようにしている（例えば、特許文献１、特許文献２参照）。
【先行技術文献】
【特許文献】
【０００４】
【特許文献１】特開２０１３−６４３１６号公報
【特許文献２】特開２０１３−６４３１５号公報
【発明の概要】
【発明が解決しようとする課題】
【０００５】
しかしながら、地中連続壁２の内側に梁３を構築する補強対策は、内径が梁幅分外側に大きくなるように地中連続壁を施工し地中連続壁２の内空を確保する必要が生じ、これがコストアップの一要因となっていた。
【０００６】
本発明は、上記事情に鑑み、より効率的且つ合理的に開口部の補強を行うことを可能にする筒型地中連続壁の開口部補強構造及びその施工方法を提供することを目的とする。
【課題を解決するための手段】
【０００７】
上記の目的を達するために、この発明は以下の手段を提供している。
【０００８】
本発明の筒型地中連続壁の開口部補強構造は、筒型の地中連続壁の外面から内面に貫通する開口部を外部と連通させる孔部を備え、地中連続壁の外面から外側に地中連続壁を増厚するように一体に突出する補強部を備えて構成されていることを特徴とする。
【０００９】
また、本発明の筒型地中連続壁の開口部補強構造においては、前記補強部が、前記孔部を備えるように鉄骨を組み付けてなる補強ユニットと、前記孔部を前記開口部に連通させるように配設した状態で前記補強ユニットを埋設しつつ地中連続壁と一体に結合するためのコンクリートとを備えていることが望ましい。
【００１０】
本発明の筒型地中連続壁の開口部補強構造の施工方法は、筒型に形成されるとともに外面から内面に貫通する開口部が設けられる筒型地中連続壁の前記開口部の周囲を補強する開口部補強構造の施工方法であって、地中連続壁の構築後あるいは地中連続壁の構築中に、前記開口部を設ける部分の地中連続壁の外面側の地盤を開削し、孔部を備えるように鉄骨を組み付けてなる補強ユニットを、前記開口部を設ける部分と前記孔部が重なるように、地盤の開削によって形成された開削孔に挿入し、前記補強ユニットを埋設し地中連続壁と一体に結合するように前記開削孔にコンクリートを打設することを特徴とする。
【発明の効果】
【００１１】
本発明の筒型地中連続壁の開口部補強構造及びその施工方法においては、地中連続壁の内径を大きくすることなく、開口部の補強を施すことができ、従来よりも施工性、経済性を向上させることが可能になる。
【図面の簡単な説明】
【００１２】
【図１】本発明の一実施形態に係る筒型地中連続壁及びこれに設けた開口部補強構造を示す図であり、（ａ）が平面図、（ｂ）が側断面図、（ｃ）が内面側からの側面視図である。
【図２】本発明の一実施形態に係る筒型地中連続壁及びこれに設けた開口部補強構造の施工手順を示す図であり、（ａ）が地中連続壁の側近を開削した状態を示す図、（ｂ）が開削孔にユニットを挿入した状態を示す図、（ｃ）がユニットを示す図である。
【図３】本発明の一実施形態に係る筒型地中連続壁の開口部補強構造の施工方法の変更例を示す図である。
【図４】従来の筒型地中連続壁及びこれに設けた開口部補強構造を示す図であり、（ａ）が平面図、（ｂ）が側断面図、（ｃ）が内面側からの側面視図である。
【発明を実施するための形態】
【００１３】
以下、図１及び図２を参照し、本発明の一実施形態に係る筒型地中連続壁の開口部補強構造及びその施工方法について説明する。
【００１４】
本実施形態の筒型地中連続壁の開口部補強構造Ａは、図１に示すように、鉄筋コンクリート製の円筒型地中連続壁２に、洞道４の接続等によって開口部１を設けるにあたり、この開口部１の円周方向軸圧縮力を開口部１の上下部分で負担し、開口部１の鉛直方向曲げモーメントを開口部１の左右部分で負担する補強構造に関するものである。
【００１５】
具体的に、本実施形態の円筒型地中連続壁の開口部補強構造Ａは、開口部１が形成する部分の地中連続壁２を外側に拡幅して構築する。
【００１６】
この開口部補強構造Ａを設けて地中連続壁を施工する際には、例えば、図２（ａ）に示すように、円筒状の地中連続壁２を形成、構築した段階で（地中連続壁２の構築後に）、エレクトロミルなどの連壁掘削機械を用いるなどして、開口部１を形成する部分の直上の地上から所定の深度まで、地中連続壁２に隣接する地盤Ｇを開削する。なお、この開削工程は、開口部１を形成する部分が露出する深度まで掘削すればよく。地中連続壁２の下端まで掘削する必要はない。
【００１７】
次に、図２（ｃ）に示すように、一側面から他側面に貫通する開口部１よりも大きな孔部５を備えた鉄筋籠あるいは鉄骨組立てユニットの補強ユニット６を開削孔７に挿入するとともに、地中連続壁２の開口部１を形成する部分に孔部５が横方向に重なるように補強ユニット６を隣接配置する。
【００１８】
そして、開削孔７にコンクリートを打設して補強ユニット６をコンクリート中に埋設する。このとき、本実施形態では、補強ユニット６の孔部５を間に上方部分と下方部分をそれぞれ富配合のコンクリートＣ１で埋設し、孔部５の部分が貧配合のコンクリートＣ２で埋設するように、コンクリートの種類を分けて打設作業を行う。なお、必ずしも本実施形態のようにコンクリートの種類を分けなくてもよい。
【００１９】
最後に、補強ユニット６よりも上方の開削孔７にコンクリートを打設する。あるいは開削孔７に埋戻し土を充填する。
【００２０】
これにより、開口部１が形成する部分の地中連続壁２を外側に拡幅して構築することができる。
【００２１】
このように補強ユニット６及びこれを埋設したコンクリートからなる開口部補強構造Ａの補強部Ａ１が地中連続壁２の開口部１を形成する部分に一体化しているため、例えばシールドマシン（シールドトンネル）を掘進し、地中連続壁２の開口部１の対向位置に到達するなどした段階で、地中連続壁２に開口部１を形成するとともに、補強ユニット６の孔部５の貧配合のコンクリートを掘削解体し、地中連続壁２の内部とシールドトンネル（洞道４）などを開口部１を介して連通させることができる。このとき、補強ユニット６によって地中連続壁２の開口部１の周囲が補強されているため、好適に掘削解体して地中連続壁２の内部とシールドトンネルなどを連通させることができる。
【００２２】
したがって、本実施形態の筒型地中連続壁の開口部補強構造Ａ及びその施工方法においては、地中連続壁２の内径を大きくすることなく、開口部１の補強を施すことができ、従来よりも施工性、経済性を向上させることが可能になる。
【００２３】
以上、本発明による筒型地中連続壁の開口部補強構造及びその施工方法の一実施形態について説明したが、本発明は上記の一実施形態に限定されるものではなく、その趣旨を逸脱しない範囲で適宜変更可能である。
【００２４】
例えば、本実施形態では、開口部補強構造Ａを設けて地中連続壁を施工する際に、地中連続壁２を構築した段階で（地中連続壁２の構築後に）、連壁掘削機械を用いるなどし、開口部１を形成する部分の直上の地上から所定の深度まで地中連続壁２に隣接する地盤Ｇを開削し、地中連続壁２の開口部１を形成する部分に補強部Ａ１を設けるものとした。
【００２５】
これに対し、本発明に係る筒型地中連続壁の開口部補強構造Ａ、筒型地中連続壁の開口部補強構造Ａの施工方法においては、地中連続壁２と補強部Ａ１を同時施工で構築してもよい。例えば、図３（ａ）に示すように、円筒状の地中連続壁２を周方向に交互に並び、先施工で構築される先行エレメント２ａと、後施工で構築される後行エレメント２ｂとに区分し、図３（ｂ）に示すように、開口部１を形成する部分の先行エレメント２ａの構築部分の地盤Ｇを掘削した後、直ぐにこの部分の外側の補強部Ａ１を構築する部分の地盤Ｇを掘削し、これら先行エレメント２ａの構築部分と補強部Ａ１の構築部分に鉄筋を配筋するとともにコンクリートを打設して先行エレメント２ａと同時に補強部Ａ１を構築し、その後、残りの先行エレメント２ａ、後行エレメント２ｂを施工して、本発明に係る開口部補強構造Ａを備えた地中連続壁を構築することができる。
なお、幅の大きな連壁掘削機械を用いたり、２台（複数台）の連壁掘削機械を用いるなどして、開口部１を形成する部分の先行エレメント２ａの構築部分の地盤Ｇと、この部分の外側の補強部Ａ１を構築する部分の地盤Ｇとを同時に掘削してもよい。
【符号の説明】
【００２６】
１    開口部
２    地中連続壁
２ａ  先行エレメント
２ｂ  後行エレメント
４    洞道
５    孔部
６    補強ユニット
７    開削孔
Ａ    筒型地中連続壁の開口部補強構造
Ａ１  補強部
Ｇ    地盤
【図１】
2019065470.tif 000003
【図２】
2019065470.tif 000004
【図３】
2019065470.tif 000005
【図４】
2019065470.tif 000006